【事件の表示】
　特願２００４−３２１０９５「光ディスク再生装置」拒絶査定不服審判事件〔平成１８年　５月２５日出願公開、特開２００６−１３４４４７〕について、次のとおり審決する。
【結　論】
　本件審判の請求は、成り立たない。
【理　由】
Ｉ．　手続の経緯
　本件審判の請求に係る特許願（以下、「本願」という）は、平成16年11月４日の出願であって、平成19年１月26日付けで拒絶の理由を通知したところ、指定した応答期間内になんらの応答もなく、同年５月24日付けで、前記拒絶の理由により拒絶すべき旨の査定がされ、これに対して、同年６月25日に拒絶査定不服審判が請求されるとともに、同日付で明細書等について手続補正がされたものである。
　その後、平成２１年１２月１１日付けで、前置報告書を利用した審尋をしたが回答はなかった。
　
　
II．　平成１９年６月２５日付け手続補正についての却下の決定
　
　〔補正却下の決定の結論〕
　平成１９年６月２５日付け手続補正を却下する。
　
　〔理　由〕
１．補正の内容及び目的
　平成19年６月25日付け手続補正（以下「本件補正」という。）は、特許請求の範囲について、
（１）補正前、
「【請求項１】
　光ディスクに記録された情報を光学的に読み出す光ピックアップを備え、光ディスクに記録された情報を再生する光ディスク再生装置において、前記光ピックアップからのＲＦ信号に含まれるフォーカスエラー信号のバランスを所定範囲変化させる第１のフォーカスエラーバランス変化手段と、前記フォーカスエラー信号のバランスを変化させているときのＲＦ信号のレベルを測定するＲＦレベル測定手段と、前記ＲＦ信号のレベルを測定しているときにＲＦ信号のレベルが最大値になったか否かを判定するＲＦレベル判定手段と、前記ＲＦ信号のレベルが最大値になったときにフォーカスエラー信号のバランスを所定範囲変化させる第２のフォーカスエラーバランス変化手段と、前記フォーカスエラー信号のバランスを変化させているときのジッタを測定するジッタ測定手段と、前記ＲＦ信号のレベルが最大値であるときのフォーカスエラー信号のバランス調整値と前記ジッタが最小値であるときのフォーカスエラー信号のバランス調整値との中間のバランス調整値を算出するバランス調整値算出手段とを有し、前記算出されたバランス調整値により得られたフォーカスエラー信号によりフォーカスサーボを行うシステムコントローラを備えたことを特徴とする光ディスク再生装置。
【請求項２】
　光ディスクに記録された情報を光学的に読み出す光ピックアップを備え、光ディスクに記録された情報を再生する光ディスク再生装置において、前記光ピックアップからのＲＦ信号に含まれるフォーカスエラー信号のバランスを変化させながらＲＦ信号のレベルとジッタを測定し、前記ＲＦ信号のレベルが最大値であるときのフォーカスエラー信号のバランス調整値と前記ジッタが最小値であるときのフォーカスエラー信号のバランス調整値との中間のバランス調整値を算出し、前記算出されたバランス調整値により得られたフォーカスエラー信号によりフォーカスサーボを行うシステムコントローラを備えたことを特徴とする光ディスク再生装置。
【請求項３】
　前記システムコントローラは、光ピックアップからのＲＦ信号に含まれるフォーカスエラー信号のバランスを所定範囲変化させる第１のフォーカスエラーバランス変化手段と、前記フォーカスエラー信号のバランスを変化させているときのＲＦ信号のレベルを測定するＲＦレベル測定手段と、前記ＲＦ信号のレベルを測定しているときにＲＦ信号のレベルが最大値になったか否かを判定するＲＦレベル判定手段と、前記ＲＦ信号のレベルが最大値になったときにフォーカスエラー信号のバランスを所定範囲変化させる第２のフォーカスエラーバランス変化手段と、前記フォーカスエラー信号のバランスを変化させているときのジッタを測定するジッタ測定手段と、前記ＲＦ信号のレベルが最大値であるときのフォーカスエラー信号のバランス調整値と前記ジッタが最小値であるときのフォーカスエラー信号のバランス調整値との中間のバランス調整値を算出するバランス調整値算出手段とを有することを特徴とする請求項２に記載の光ディスク再生装置。」
とあったものを、
　
（２）補正後、
「【請求項１】
　光ディスクに記録された情報を光学的に読み出す光ピックアップを備え、光ディスクに記録された情報を再生する光ディスク再生装置において、
　前記光ピックアップからのＲＦ信号に含まれるフォーカスエラー信号のバランスを
ＲＦ信号を増幅するためのＲＦアンプ内のゲイン調整器によりゲインを変化させることにより
　前記フォーカスエラー信号のバランスを変化させているときのＲＦ信号のレベルを測定するＲＦレベル測定手段と、
　前記ＲＦ信号のレベルを測定しているときにＲＦ信号のレベルが最大値になったか否かを判定するＲＦレベル判定手段と、
　前記ＲＦ信号のレベルが最大値になったときにフォーカスエラー信号のバランスを所定範囲変化させる第２のフォーカスエラーバランス変化手段と、
　前記フォーカスエラー信号のバランスを変化させているときのジッタを測定するジッタ測定手段と、
　前記ＲＦ信号のレベルが最大値であるときのフォーカスエラー信号のバランス調整値と前記ジッタが最小値であるときのフォーカスエラー信号のバランス調整値との中間のバランス調整値を算出するバランス調整値算出手段とを有し、前記算出されたバランス調整値により得られたフォーカスエラー信号によりフォーカスサーボを行うシステムコントローラを備えたことを特徴とする光ディスク再生装置。」
としようとするものである。
　すると、本件補正は、補正前の請求項１に記載された発明の第１のフォーカスエラーバランス変化手段について、「
ＲＦ信号を増幅するためのＲＦアンプ内のゲイン調整器によりゲインを変化させることにより
　
　そこで、本件補正後の特許請求の範囲に記載されている事項により特定される発明が特許出願の際独立して特許を受けることができるものであるか（平成１８年法律第５５号改正附則第３条第１項によりなお従前の例によるとされる同法による改正前の特許法第17条の２第５項において準用する同法第126条第５項の規定に適合するか）を補正後の請求項１に係る発明について、以下、検討する。
　
２．補正後発明
　補正後の請求項１に係る発明（以下、「補正後発明」という。）は、前記１．（２）に、補正後の【請求項１】として記載したとおりのものである。
　
３．引用文献及びその記載
（１）引用文献１
　原査定の拒絶の理由に引用された特開平１０−９１９７８号公報（以下、「引用文献１」という。）には、フォーカスエラー信号生成回路に関する発明について、図面と共に以下の記載がある。なお、下線は当審が付した。
　
（ア）「【０００１】
【発明の属する技術分野】本発明は、フォーカスエラー信号生成回路に関し、特にＣＤ（コンパクトディスク）プレーヤ等の
光ディスク装置のサーボ系に用いて好適なフォーカスエラー信号生成回路
　
（イ）従来の技術について
「【０００３】この
フォーカスサーボ系
ディスク１０１の信号情報を読み取るピックアップ１０２の出力に基づいて、フォーカスエラー信号生成回路１０３でフォーカスエラー信号を生成し、
【０００４】ここで、フォーカスエラー信号の生成について説明する。その生成法として例えば非点収差法を用いたフォーカスエラー信号生成回路１０３では、ピックアップ１０１の光検出器として、図５に示すように、受光面が４分割されたいわゆる４分割ディテクタ１０５を用い、受光面中心Ｏに関して対称な受光部１０５ａの出力Ａと受光部１０５ｃの出力Ｃ、受光部１０５ｂの出力Ｂと受光部１０５ｄの出力Ｄとをそれぞれ加算器１０６，１０７で加算し、さらに各加算出力Ａ＋Ｃ，Ｂ＋Ｄを減算器１０８で減算することによってフォーカスエラー信号を生成する構成となっている。
【０００５】この場合、４分割ディテクタ１０５の各受光部Ａ〜Ｄの感度にバラツキがあったり、回路自体にオフセットが存在したりすると、ディスクの信号面が光学系の焦平面にあるにも拘らず、フォーカスエラー信号にオフセット分が生じ、フォーカスエラー信号がゼロにならないことになる。この状態でフォーカスサーボを行うと、オフセット分だけ焦点ずれとなり、ディスクの信号情報を良好に読み取れないことになる。このため、フォーカスエラー信号生成回路には、オフセット分をキャンセルためにフォーカスバイアスを調整するバイアス調整回路が内蔵されている。」
　
（ウ）「【００１６】
【発明の実施の形態】以下、本発明の実施形態について図面を参照しつつ詳細に説明する。図１は、本発明の一実施形態を示す回路図である。なお、本実施形態に係る
フォーカスエラー信号生成回路には、図５に示す４分割ディテクタ１０５の受光部１０５ａ，１０５ｃの各出力Ａ，Ｃの和の電圧信号Ｖａおよび受光部１０５ｂ，１０５ｄの各出力Ｂ，Ｄの和の電圧信号Ｖｂが与えられる
【００１７】図１において、
電圧信号Ｖａは抵抗１１を介してオペアンプ１２の非反転入力となり、電圧信号Ｖｂは抵抗１３を介してオペアンプ１２の反転入力となる。オペアンプ１２は抵抗１１，１３、さらには反転入力端と出力端との間に並列に接続された抵抗１４およびコンデンサ１５と共に減算器構成のエラーアンプを構成している。オペアンプ１２の非反転入力端には、抵抗１６およびコンデンサ１７の各一端が接続されている。抵抗１６およびコンデンサ１７の各他端には、バイアス電圧設定回路１８で設定されたバイアス電圧Ｖｂｉａｓが印加される。オペアンプ１２の出力電圧はフォーカスエラー信号Ｖｆｅｏとして導出される
【００１８】バイアス電圧設定回路１８は、正側電源Ｖｃｃに各一端が接続された６個の電流源２１〜２６と、これら電流源２１〜２６の他端に各一端が接続されかつ各他端が共通接続された６個のスイッチ２７〜３２と、これらスイッチ２７〜３２の各他端と負側電源Ｖｃｃとの間に接続された電流源３３と、スイッチ２７〜３２の各他端に反転入力端が接続されかつ非反転入力端に電位Ｖｃが与えられたオペアンプ３４と、このオペアンプ３４の反転入力端と出力端との間に接続された抵抗３５とから構成され、オペアンプ３４の出力電圧がバイアス電圧Ｖｂｉａｓとなる。
【００１９】このバイアス電圧設定回路１８において、電位Ｖｃは、正側電源Ｖｃｃおよび負側電源Ｖｅｅの中間電位である。また、電流源２１〜２６の各電流をＩ１〜Ｉ６とし、電流源２１の電流Ｉ１をＩとした場合、電流源２２〜２６の各電流Ｉ２〜Ｉ６は、２Ｉ，４Ｉ，８Ｉ，１６Ｉ，３２Ｉの関係になるように設定される。さらに、電流源３３の電流をＩ０とした場合、この電流Ｉ０は３２Ｉの関係になるように設定される。」
　
（エ）「【００２３】
コントローラ２０は、例えばマイクロコンピュータによって構成され
フォーカスバイアス調整時には、図示せぬＲＦアンプからＲＦ信号を取り込んでその信号レベルに基づいてバイアス電圧設定回路１８のスイッチ２７〜３２をスイッチング制御する
　
（オ）「【００３５】次に、フォーカスバイアス調整について、図３のフローチャートにしたがって説明する。このフォーカスバイアス調整は、先述したように、オフセット調整が済んだ状態で実行される。
【００３６】
コントローラ２０は先ず、ＲＦアンプ（図示せず）の出力信号であるＲＦ信号を取り込み（ステップＳ２１）
ピーク値を検出し（ステップＳ２３）、この検出したピーク値が最大であるか否かを判断する（ステップＳ２４）。
【００３７】
検出したピーク値が最大でなければ、バイアス電圧設定回路１８のスイッチ２７〜３２を適宜スイッチング制御することによってバイアス電圧Ｖｂｉａｓの調整を行い（ステップＳ２５）、しかる後ステップＳ２１に戻ってピーク値が最大になるまで上述した処理を繰り返す。ここでのバイアス電圧Ｖｂｉａｓの調整は粗調整となる。この粗調整終了後、図示せぬジッタ計測回路の計測出力をモニタすることによってバイアス電圧Ｖｂｉａｓの微調整が行われる。
ＲＦ信号のピーク値が最大になったら、さらにジッタ計測回路から計測したジッタを取り込み（ステップＳ２６）、ジッタが最小であるか否かを判断する（ステップＳ２７）。ジッタが最小でなければ、バイアス電圧設定回路１８のスイッチ２７〜３２を適宜スイッチング制御することによってバイアス電圧Ｖｂｉａｓの微調整を行う（ステップＳ２８）。この処理をジッタが最小になるまで繰り返す
【００３９】上述したように、オフセット調整が済み、フォーカスサーボが引き込まれることによって得られるＲＦ信号を取り込み、このＲＦ信号のピーク値が最大になるようにバイアス電圧Ｖｂｉａｓを粗調整し、さらにジッタ計測回路によって計測されたジッタを取り込み、このジッタが最小になるようにバイアス電圧Ｖｂｉａｓを微調整することにより、フォーカスバイアスが最適値になるように自動的に調整できる。
【００４０】なお、上述したフォーカスバイアス調整の処理手順は一例に過ぎず、これに限定されるものではない。また、ジッタ計測回路は、一般的に、ＲＦ信号の２値化信号であるＥＦＭ(Eight to Fourteen Modulation)信号を、ＰＬＬクロックを基準としてデジタル処理するＤＳＰ(Digital Signal Processor)回路に内蔵されており、ＲＦ信号のジッタを、例えばＰＬＬクロックのエッジとＥＦＭ信号の変化点との時間差として計測する。
【００４１】以上説明した本実施形態においては、バイアス電圧設定回路１８を、フォーカスエラー信号Ｖｆｅｏを生成するためのオペアンプ１２の非反転入力端側に付加するとしたが、これに限定されるものではなく、オペアンプ１２の反転入力端側あるいは反転、非反転の双方の入力端など、フォーカスバイアスを調整できる部位であれば良い。」
　
（カ）また、一実施形態を示す回路図である【図１】、フォーカスバイアス調整の場合の処理手順を示すフローチャートである【図３】を参照
　
　以上の摘記事項及び図面を総合勘案し、引用文献１には、次の発明が記載されているものと認める。
　
「ディスクの信号情報を読み取るピックアップを備えた光ディスク装置において、
　ピックアップ１０２の出力に基づいて、フォーカスエラー信号を生成するフォーカスエラー信号生成回路１０３を備え、
　前記フォーカスエラー信号生成回路には、４分割ディテクタの受光部の出力の電圧信号が与えられるオペアンプを有し、前記オペアンプの入力端には、バイアス電圧設定回路１８で設定されたバイアス電圧Ｖｂｉａｓが印加され、オペアンプ１２の出力電圧はフォーカスエラー信号Ｖｆｅｏとして導出され、
　例えばマイクロコンピュータによって構成されるコントローラ２０を備え、
　前記コントローラーは、フォーカスバイアス調整時には、先ず、ＲＦアンプの出力信号であるＲＦ信号を取り込み、このＲＦ信号をＡ／Ｄ（デジタル／アナログ）変換し、ピーク値を検出し、この検出したピーク値が最大であるか否かを判断し、検出したピーク値が最大でなければ、バイアス電圧設定回路のスイッチを適宜スイッチング制御することによってバイアス電圧の調整を行い、ピーク値が最大になるまで上述した処理を繰り返すバイアス電圧の粗調整を行い、この粗調整終了後、さらにジッタ計測回路から計測したジッタを取り込み、ジッタが最小であるか否かを判断し、ジッタが最小でなければ、バイアス電圧設定回路のスイッチを適宜スイッチング制御することによってバイアス電圧の微調整を行い、ジッタが最小になるまで繰り返すものである、
　光ディスク装置。」
（以下、「引用発明」という。）
　
（２）引用文献２
　同じく原査定の拒絶の理由に引用された特開平２−１８７９３０号公報（以下、「引用文献２」という。）には、光ディスク再生装置におけるフォーカスバイアスの調整方法に関する発明について、図面と共に以下の記載がある。
　
（キ）「経験的にフォーカスバイアス信号ＦＢの値を小さい方から次第にＦＢ０１→ＦＢ０２→ＦＢ０→ＦＢ０３→ＦＢ０４と変化させていくと、その再生信号ＲＦの信号波形は略々第１図の曲線（２６ｃ）→曲線（２６ｂ）→曲線（２６ａ）→曲線（２６ｂ）→曲線（２６ｃ）と変化することが分かっている。この場合、その再生信号ＲＦのレベルを示すＲＦレベル信号ＲＦＬの値は略々ＲＦＬｃ→ＲＦＬｂ→ＲＦＬａ→ＲＦＬｂ→ＲＦＬｃと変化して、フォーカスバイアス信号ＦＢがＦＢ。となるときに最大となる。従って、このＲＦレベル信号ＲＦＬはフォーカスバイアス信号ＦＢに対して第３図に示す如く、値ＦＢｏを中心として略左右対称で凸状となる。」（４頁左下欄２行〜１５行）
　
（ク）「このような立上りの時点の理想状態からのずれが再生信号ＲＦの時間軸上での変動としてのジッタである。
　従って、その再生信号ＲＦのジッタ量は、２値化した信号の立上りの時点と理想状態の立上りの時点との間に存在するハイレベル「１」の信号（第２図Ｂ及びＣの斜線部分に相当する。）を所定時間だけ積分してなる信号ＲＦＪで表わすことができ、この信号ＲＦＪをＲＦジッタ信号と称する。このＲＦジッタ信号ＲＦＪの値はフォーカスバイアス信号ＦＢの値がＦＢ１のときに最小となるため、このＲＦジッタ信号ＲＦＪをフォーカスバイアス信号ＦＢに対してプロットした曲線は第３図に示す如く、値ＦＢ１を中心とじて略左右対称で凹状となる。　
　本例においては、フォーカスバイアス信号ＦＢの値は、ＲＦレベル信号ＲＦＬが最大となるときの値ＦＢｏとＲＦジッタ信号ＲＦＪが最小となるときの値ＦＢ１との
中間の値ＦＢＸに設定する如くなす。従って、ＦＢＸ＝（ＦＢｏ＋ＦＢ１）／２が成立する。
　このように設定すれば、再生信号ＲＦのレベルが略最大で且つ再生信号ＲＦの時間軸上でのジッタ量が略最小となるので、再生信号ＲＦの状態は最良になる利益がある。」（第４頁右下欄第１１行〜第５頁左上欄第１４行）
　
３．対比
　引用発明の「ディスクの信号情報を読み取るピックアップを備えた光ディスク装置」は、補正後発明の「光ディスクに記録された情報を光学的に読み出す光ピックアップを備え、光ディスクに記録された情報を再生する光ディスク再生装置」に相当する。
　引用発明の「フォーカスエラー信号」は、ピックアップ１０２の出力に基づいて、生成するフォーカスエラー信号生成回路により生成されるものであるから、補正後発明の「光ピックアップからのＲＦ信号に含まれるフォーカスエラー信号」に相当する。
　引用発明において、前記フォーカスエラー信号は、４分割ディテクタの受光部の出力の電圧信号が与えられるオペアンプの出力電圧として導出されるところ、前記オペアンプの入力端には、バイアス電圧設定回路で設定されたバイアス電圧が印加されるので、前記「バイアス電圧設定回路」は、補正後発明の「フォーカスエラー信号のバランスを」「所定範囲変化させる第１のフォーカスエラーバランス変化手段」に相当する。
　引用発明の「例えばマイクロコンピュータによって構成されるコントローラ」は、
「フォーカスバイアス調整時には、先ず、ＲＦアンプの出力信号であるＲＦ信号を取り込み、このＲＦ信号をＡ／Ｄ（デジタル／アナログ）変換し、ピーク値を検出」するので、引用発明は補正後発明の「フォーカスエラー信号のバランスを変化させているときのＲＦ信号のレベルを測定するＲＦレベル測定手段」を実質的に備えている。
　同じく引用発明のコントローラは、「この検出したピーク値が最大であるか否かを判断し、検出したピーク値が最大でなければ、バイアス電圧設定回路のスイッチを適宜スイッチング制御することによってバイアス電圧の調整を行い、ピーク値が最大になるまで上述した処理を繰り返すバイアス電圧の粗調整を行」うので、引用発明は補正後発明の「ＲＦ信号のレベルを測定しているときにＲＦ信号のレベルが最大値になったか否かを判定するＲＦレベル判定手段」を実質的に備えている。
　同じく引用発明のコントローラは、「この粗調整終了後、さらにジッタ計測回路から計測したジッタを取り込み、ジッタが最小であるか否かを判断し、ジッタが最小でなければ、バイアス電圧設定回路のスイッチを適宜スイッチング制御することによってバイアス電圧の微調整を行い、ジッタが最小になるまで繰り返す」ので、引用発明は補正後発明の、
「前記ＲＦ信号のレベルが最大値になったときにフォーカスエラー信号のバランスを所定範囲変化させる第２のフォーカスエラーバランス変化手段と、
　前記フォーカスエラー信号のバランスを変化させているときのジッタを測定するジッタ測定手段と」を実質的に備えている。
　引用発明の光ディスク装置が、調整されたバイアス電圧によりフォーカスサーボを行うことは自明であるから、補正後発明の「（調整）されたバランス調整値により得られたフォーカスエラー信号によりフォーカスサーボを行うシステムコントローラを備えた」「光ディスク再生装置。」の点で一致する。
　
　以上のことからすると、引用発明と補正後発明とは、次の一致点で一致し、各相違点で相違する。
　
（一致点）
「光ディスクに記録された情報を光学的に読み出す光ピックアップを備え、光ディスクに記録された情報を再生する光ディスク再生装置において、
　前記光ピックアップからのＲＦ信号に含まれるフォーカスエラー信号のバランスを所定範囲変化させる第１のフォーカスエラーバランス変化手段と、
　前記フォーカスエラー信号のバランスを変化させているときのＲＦ信号のレベルを測定するＲＦレベル測定手段と、
　前記ＲＦ信号のレベルを測定しているときにＲＦ信号のレベルが最大値になったか否かを判定するＲＦレベル判定手段と、
　前記ＲＦ信号のレベルが最大値になったときにフォーカスエラー信号のバランスを所定範囲変化させる第２のフォーカスエラーバランス変化手段と、
　前記フォーカスエラー信号のバランスを変化させているときのジッタを測定するジッタ測定手段と、
　（調整）されたバランス調整値により得られたフォーカスエラー信号によりフォーカスサーボを行うシステムコントローラを備えたことを特徴とする光ディスク再生装置。」
である点。
　
（相違点１）
　補正後発明は、「フォーカスエラー信号のバランスを
ＲＦ信号を増幅するためのＲＦアンプ内のゲイン調整器によりゲインを変化させることにより
　
（相違点２）
　補正後発明は、「ＲＦ信号のレベルが最大値であるときのフォーカスエラー信号のバランス調整値と前記ジッタが最小値であるときのフォーカスエラー信号のバランス調整値との中間のバランス調整値を算出するバランス調整値算出手段とを有し、前記算出されたバランス調整値」により得られたフォーカスエラー信号によりフォーカスサーボを行うのに対し、引用発明は、算出手段の特定がなく、算出されたバランス調整値により得られたフォーカスエラー信号によりフォーカスサーボを行うことも特定されていない点。
　
４．判断
（１）相違点１について
　光ディスク再生装置において、フォーカスエラー信号のいわゆるＳ字カーブ曲線が、基準電圧に対して、上下に非対称となり、バランスが崩れることを、ＲＦアンプ内のゲインを調整することでバランスを調整することは、ごく周知のことである（例えば、特開2001-307332号公報（平成13年11月２日公開、【０００３】、【００２３】、【００２５】等参照）、特開2002-25075号公報（平成14年１月25日公開、【０００７】、【００２５】、【図２】等参照））。
　一方、例えば、特開2000-268375号公報（平成12年９月29日公開、【請求項４】、【請求項５】等参照）、特開2002-170258号公報（平成14年６月14日公開、【請求項１】、【００１１】〜【００１２】【００５１】、【００８１】等参照）には、いずれも、フォーカスエラー信号にバイアス電圧を加えることで、フォーカスエラー信号のバランスを調整しようとするものが記載されている。
　上記各周知例の記載からみて、フォーカスエラー信号についてのバランス調整手法として、フォーカスエラー信号へのバイアスの加算と、ＲＦアンプ内のゲイン調整とは、いずれもよく知られた調整手段であることからすると、引用発明においても、バイアス信号を変化させる調整手段に代えて、ＲＦアンプ内のゲイン調整手段を採用することでバランスを調整することは、当業者が容易に想到しうることである。
　
（２）相違点２について
　引用文献２には、フォーカスバイアスを「フォーカスバイアス信号ＦＢの値は、ＲＦレベル信号ＲＦＬが最大となるときの値ＦＢｏとＲＦジッタ信号ＲＦＪが最小となるときの値ＦＢ１との中間の値ＦＢＸに設定する如くなす。従って、ＦＢＸ＝（ＦＢｏ＋ＦＢ１）／２が成立する。」のように設定することが記載されている。
　引用文献１には、バイアス調整の処理が、実施例に限定されない記載もあり（【００４０】参照）、図３のフローを参照すると明らかなように、マイコンで構成されるコントローラが、Ｓ２４でＲＦ信号の最大となるバイアス値と、Ｓ２７で検出されるジッタが最小のバイアス値から、中間のバイアス値を算出するステップを追加することに特段、困難な事情もないことからすると、引用発明において、引用文献２に記載されるバイアス信号の設定値を取り入れて、「ＲＦ信号のレベルが最大値であるときのフォーカスエラー信号のバランス調整値と前記ジッタが最小値であるときのフォーカスエラー信号のバランス調整値との中間のバランス調整値を算出するバランス調整値算出手段とを有し、前記算出されたバランス調整値によりフォーカスサーボを行う」ようにすることは、当業者が容易に想到しうることである。
　
　また、上記各相違点を総合的に判断しても、補正後発明の奏する効果は、引用文献１及び２に記載された発明及び周知技術から当業者が予測しうるものにすぎない。
　結局、補正後発明は、引用文献１及び２に記載された発明に基づいて、周知技術も参酌することで当業者が容易に発明をすることができたものである。
　
　以上のとおりであるから、補正後の請求項１に係る発明については、特許法第２９条第２項の規定により、特許出願の際独立して特許を受けることができないものである。
　
５．手続補正についてのむすび
　以上のとおり、本件補正は、平成１８年法律第５５号改正附則第３条第１項によりなお従前の例によるとされる同法による改正前の特許法第17条の２第５項で準用する同法第126条第５項の規定に違反するものであり、同法第159条第１項で準用する同法第53条第１項の規定により却下すべきものである。
　
　
III．　本願発明について
１．本願発明
　平成19年６月25日付けの手続補正は、上記のとおり却下されたので、本願の請求項１ないし３に係る各発明は、本願の願書に最初に添付された明細書の特許請求の範囲の請求項１ないし３に記載されたとおりのものと認められるところ、請求項１に係る発明（以下、「本願発明」という。）は、前記「II．１．（１）」に補正前の【請求項１】として記載したとおりのものである。
　
２．引用文献及びその記載
　これに対して原査定の拒絶理由で引用された引用文献及びその記載は、前記「II．３．引用文献及びその記載」に記載したとおりである。
　
３．対比・判断
　本願発明は、前記「II．２」以下で、検討した補正後発明から、第１のフォーカスエラーバランス変化手段の変化手段について、「
ＲＦ信号を増幅するためのＲＦアンプ内のゲイン調整器によりゲインを変化させることにより
　すると、本願発明を特定する事項を全て含み、さらに他の特定する事項を付加したものに相当する補正後発明が、前記「II．４．判断」に記載したとおり、引用文献１及び２に記載された発明に基づいて当業者が容易に発明をすることができたものであるから、本願発明も、同様の理由により、引用文献１及び２に記載された発明に基づいて当業者が容易に発明をすることができたものである。
　
　
IV．　むすび
　以上のとおりであるから、本願の請求項１に係る発明については、特許法第29条第２項の規定により特許を受けることができない。
　したがって、本願は、その余の請求項について論及するまでもなく、拒絶すべきものである。
　よって、結論のとおり審決する。